(57)【特許請求の範囲】
【請求項１】
開閉する扉を有する遊技機の前面に設けられたテーブル部に着脱可能に固定しうる固定部と、一端部が上記固定部に連設されたアーム部と、上記アーム部の他端部に配置され、遊技者が肘を置きうると共に上下方向および前後方向に位置を変更しうる肘置部を有する肘掛部とを備えた遊技機用肘掛装置であって、
上記アーム部が水平方向に沿って所定角度回動しうるように上記固定部に対して接合される回動接合部を有し、上記固定部は、固定部本体と、上記固定部本体の一端部に設けられ、上記テーブル部の前端縁に設けられた肘掛取付部に着脱可能に係合しうる係合部と、上記固定部本体の他端部に設けられ、上記アーム部の一端部が接合される回動接合部本体とを有する一方、上記アーム部は、アーム部本体と、上記アーム部本体の端部に形成され、
上記回動接合部本体に回動可能に回動軸部により軸支される回動被接合部を有し、上記回動接合部本体及び上記回動被接合部には、上記アーム部の回動角度を規制しうる回動角度規制構造が設けられ、
上記回動角度規制構造は、上記回動接合部本体に設けられた規制面部と、上記回動被接合部に設けられ、上記規制面部に対して水平方向において回動して当接する、上記回動軸部の両側において所定角度に設けられた一対の当接面部とにより構成され、
一方の当接面部が上記規制面部に当接した場合には、上記扉は上記肘掛部に接触することなく開閉されるように構成されていることを特徴とする遊技機用肘掛装置。
【請求項２】
上記規制面部は、固定部本体の上記アーム部幅方向に沿って厚さ方向に形成された平面からなる規制面を有すると共に、上記当接面部は、上記アーム部幅方向に沿って厚さ方向に形成され、相互に鈍角を成し、回動時にはいずれか一方が上記規制面に当接する当接面が形成されていることを特徴とする請求項１記載の遊技機用肘掛装置。
【請求項３】
上記係合部は上方へ湾曲する側面略J字状に形成されると共に肘掛取付部は下方へ湾曲する側面略Ｊ字状に形成され、上記肘掛取付部に対して下方から挿入して回動することにより取り付けると共に、上記固定部を上方に向かって所定角度回動させることにより上記テーブル部から取り外すことができるように構成されていることを特徴とする請求項２に記載の遊技機用肘掛装置。
【発明の詳細な説明】
【技術分野】
【０００１】
本発明は、パチンコ台等の遊技機に着脱可能に装着される遊技機用肘掛装置の改良に関する。
【背景技術】
【０００２】
従来、パチンコ台等の遊技機に着脱可能に装着される遊技機用肘掛として、特開２０１１−２１８０２０号公報（特許文献１）に開示された遊技機用肘掛が知られている。
【０００３】
図６に示すように、上記遊技機用肘掛１０は、遊技機１１の前面に設けられたテーブル部１２の前端縁１２ａに設けられた肘掛取付部１３に上下方向に回動可能に取付けられたアーム部１７と、上記アーム部１７に取り付けられ、遊技者が肘を置きうる肘置部２０が設けられた肘掛部１８とにより構成され、上記肘掛取付部１３は上記アーム部１７に対して上下方向に調節可能であると共に、上記肘置部２０は、上記肘掛部１８の台部２６において、上記アーム部１７に対して前後方向にスライド可能に構成されている。
【０００４】
したがって、上記遊技機用肘掛１０は、上記肘置部２０の高さ、および上記遊技機１１に対する前後方向の位置を遊技者が自在に調節することができることから、遊技者の腕の疲労を軽減させることができる。
【０００５】
しかしながら、上記遊技機用肘掛１０は、上記肘置部２０の位置を上記遊技機１１に対して左右に調節することはできないことから、遊技機１１の前面に設置された椅子が床に固定されている場合には、上記肘置台２０を遊技者の体に近づけて配置することができず、遊技者は脇が開いた状態で遊技を行うことにより、腕および肩に負担がかかり、腕および肩の疲労を十分に軽減させることができないという不具合があった。
【０００６】
また、一般に、パチンコ台等の遊技機は、上記遊技機前面に設けられた扉を開放して上記遊技機内部のメンテナンス作業が行われるが、上記遊技機用肘掛１０を上記テーブル部１２に取り付けた状態で扉を開放しようとすると、上記肘置部２０に上記扉が接触し、上記扉を開放することができないことから、上記メンテナンス作業を行う場合には、上記遊技機用肘掛１０を上記テーブル部１２から取り外す、または、上記肘置部２０を最も下方の位置にまで下げる必要があった。
【０００７】
しかしながら、上記遊技機用肘掛１０を上記テーブル部１２から取り外した場合には、取り付けた上記遊技機用肘掛１０を一時的に保管する場所が必要となると共に、メンテナンス作業の前後において、上記遊技機用肘掛１０の脱着作業が必要となるという不具合があった。
【０００８】
また、上記肘置部２０を最も下方の位置にまで下げて上記扉を開放した場合であっても、作業者の側方近傍に上記遊技機用肘掛１０が常に配置された状態となり、メンテナンス作業の妨げになるという不具合があった。
【０００９】
また、遊技機の非使用状態において、手置き台との干渉なく各種の作業を手間をかけずに行うことができる手置き台として、特開２０１１−１９４１８５号公報に開示された手置き台７０が開示されている。
【００１０】
図７に示すように、上記手置き台７０は、遊技機７１の下方において後方に向けて突設された膳板７２に取り付けられており、遊技機使用者の腕を載置可能な載置部７３と、載置部７３が設けられた本体部７４と、膳板７２に対し固定され、本体部７４を支持する支持部７５とから構成されている。
【００１１】
上記手置き台７０は、載置部７３が本体部７４に対し、上下位置および前後位置を調節可能に設けられている。
【００１２】
しかしながら、上記手置き台７０は、上記遊技機用肘掛１０と同様に、上記載置部７３の位置を上記遊技機７１に対して左右に調節することはできないことから、腕の疲労を十分に軽減させることができないという問題があった。
【００１３】
また、手置き台７０を非使用位置に移動させる場合には、載置部７３を後方へスライド移動させた後、載置部７３に後方向きの力を加え、本体部７４を後方に向けて引き出すことで係合突部７６と係合孔７７との嵌合を一時的に解除させ、本体部７４に後方向きの力を加えた状態を維持しながら、本体部７４を回動軸７８を中心に正面視で時計回りに９０度回動させることにより非使用位置に移動させることにより、メンテナンス作業時に遊技機７１の扉と載置部７３とが接触することなく、扉を開放することができる。
【００１４】
しかしながら、上記手置き台７０を使用位置から非使用位置に移動させるには、上記のように複数の過程が必要であると共に、力を加えながら回転させる操作が必要であることから、メンテナンス作業時に、遊技場７１に多数設置される手置き台７０を使用位置から非使用位置にすべて移動させるには、時間および労力を要するという問題があった。
【特許文献１】特開２０１１−２１８０２０号公報
【特許文献２】特開２０１１−１９４１８５号公報
【発明の開示】
【発明が解決しようとする課題】
【００１５】
そこで、本発明の課題は、遊技者の腕および肩の疲労をさらに軽減することができ、また、メンテナンス作業時に扉に接触しない位置へ容易に移動させることができると共に、遊技機に取り付けられた状態であっても作業の妨げになることがなく、メンテナンスの作業性を向上させる遊技機用肘掛装置を提供することにある。
【課題を解決するための手段】
【００１６】
上記課題を解決するため、請求項１の発明に係る遊技機用肘掛装置にあっては、開閉扉を有する遊技機の前面に設けられたテーブル部に着脱可能に固定しうる固定部と、一端部が上記固定部に連設されたアーム部と、上記アーム部の他端部に配置され、遊技者が肘を置きうると共に上下方向および前後方向に位置を変更しうる肘置部を有する肘掛部とを備えた遊技機用肘掛装置であって、上記アーム部が水平方向に沿って所定角度回動しうるように上記固定部に対して接合される回動接合部を有し、上記固定部は、固定部本体と、上記固定部本体の一端部に設けられ、上記テーブル部の前端縁に設けられた肘掛取付部に着脱可能に係合しうる係合部と、上記固定部本体の他端部に設けられ、上記アーム部の一端部が接合される回動接合部本体とを有する一方、上記アーム部は、アーム部本体と、上記アーム部本体の端部に形成され、上記回動接合部本体に回動可能に回動軸部により軸支される回動被接合部を有し、上記回動接合部本体及び上記回動被接合部には、上記アーム部の回動角度を規制しうる回動角度規制構造が設けられ、上記回動角度規制構造は、上記回動接合部本体に設けられた規制面部と、上記回動被接合部に設けられ、上記規制面部に対して水平方向において回動して当接する、上記回動軸部の両側において所定角度に設けられた一対の当接面部とにより構成され、上記一方の当接面部が上記規制面部に当接した場合には、上記開閉扉は上記肘掛部に接触することなく開閉されるように構成されていることを特徴とする
【００１７】
したがって、上記アーム部の上記他端部には上下方向および前後方向に位置を変更しうる肘置部を有する肘掛部が配置され、上記アーム部は上記回動接合部において水平方向に沿って所定角度回動しうるように上記固定部に対して接合されていることから、上記肘掛部は上下方向および前後方向に位置を変更することができると共に、上記アーム部と共に水平方向に沿って所定角度回動することができる。
【００１８】
また、上記固定部は、上記テーブル部の前端縁に設けられた肘掛取付部に着脱可能に係合しうる係合部を有していることから、上記固定部は、上記テーブル部に着脱可能に構成されている。上記アーム部は上記回動軸部を中心として所定角度水平方向に回動することができる。
【００１９】
さらに、上記回動接合部本体及び上記回動被接合部には、上記アーム部の回動角度を規制しうる回動角度規制構造が設けられていることから、上記アーム部の回動角度を規制することができる。
【００２０】
また、上記規制面部と上記一対の当接面部とが当接することにより、上記アーム部の回動を規制する。
【００２１】
請求項２の発明に係る遊技機用肘掛装置にあっては、上記規制面部は、固定部本体の上記アーム部幅方向に沿って厚さ方向に形成された平面からなる規制面を有すると共に、上記当接面部は、上記アーム部幅方向に沿って厚さ方向に形成され、相互に鈍角を成し、回動時にはいずれか一方が上記規制面に当接する当接面が形成されていることを特徴とする。
【００２２】
したがって、上記当接面部は、上記アーム部幅方向に沿って厚さ方向に形成され、相互に鈍角を成し、回動時にはいずれか一方が上記規制面に当接する当接面が形成されていることから、上記アーム部を回動させた場合には、上記規制面に上記当接面のいずれか一方が当接することにより上記アーム部の回動を規制する。
【００２３】
また、上記当接面部は、上記アーム部幅方向に沿って厚さ方向に形成され、相互に鈍角を成していることから、上記アーム部の回動の自由度が大きい。
【００２４】
請求項３の発明に係る遊技機用肘掛装置にあっては、上記係合部は上方へ湾曲する側面略J字状に形成されると共に肘掛取付部は下方へ湾曲する側面略Ｊ字状に形成され、上記肘掛取付部に対して下方から挿入して回動することにより取り付けると共に、上記固定部を上方に向かって所定角度回動させることにより上記テーブル部から取り外すことができるように構成されていることを特徴とする。
【００２５】
したがって、上記係合部を上記肘掛取付部に対して下方から挿入して回動することにより取り付けることができると共に、上記固定部を上方に向かって所定角度回動させることにより上記テーブル部から取り外すことができる。
【発明の効果】
【００２６】
請求項１の遊技機用肘掛装置にあっては、上記肘掛部は上下方向および前後方向に位置を変更することができると共に、上記アーム部と共に水平方向に沿って所定角度回動することができることから、上記テーブル部に上記固定部を固定した場合には、上記肘置部を水平方向に沿って回動させることにより、上記遊技機に対して、上下方向および前後方向の位置調節に加えて、左右方向の位置調節をすることができる。
【００２７】
したがって、遊技者は、上記肘置部の位置を上記遊技機に対して、上下方向および前後方向に加えて、左右方向の位置調節を行うことにより、上記肘置部を遊技者の体に近い位置に配置して脇を閉じた状態で遊技を行うことができることから、使用者の腕および肩に最も負担がかからない位置に調節して配置した上記肘置部に肘を置きながら遊技を行うことができ、その結果、遊技者の腕および肩の疲労をさらに軽減することができる。
【００２８】
また、請求項１の遊技機用肘掛装置にあっては、左右方向の位置調節をすることができることから、メンテナンス作業時に遊技機の扉を開放する場合には、上記アーム部を水平方向に移動させることのみにより、上記肘掛部への接触を回避して上記扉を開放させることができると共に、上記遊技機の前方においてメンテナンス作業を行う作業者から側方に所定間隔離間して配置させることができる。
【００２９】
したがって、メンテナンス作業時に扉に接触しない位置へ容易に移動させることができると共に、遊技機に取り付けられた状態であっても作業の妨げになることがなく、メンテナンスの作業性を向上させることができる。
【００３０】
また、請求項１の発明に係る遊技機用肘掛装置にあっては、上記固定部は、上記テーブル部に着脱可能に構成されていることから、請求項１の発明に係る遊技機用肘掛装置は上記テーブル部に取り付け、取り外しが可能となる。
【００３１】
したがって、遊技機の交換作業等を行う場合には、請求項１の発明に係る遊技機用肘掛装置は上記テーブル部は上記テーブル部から容易に取り外して作業を行うことができる。
【００３２】
また、請求項１の発明に係る遊技機用肘掛装置にあっては、上記アーム部の回動角度を規制することができることから、上記アーム部が所定の角度以上に回動して、隣接する遊技機を使用する遊技者の遊技を妨害すること、および上記肘掛部が遊技機の扉に接触して上記扉の表面に傷を付けることがない。
【００３３】
また、請求項１の発明に係る遊技機用肘掛装置にあっては、上記規制面部と上記一対の当接面部とが当接することにより、上記アーム部の回動を規制することから、上記アーム部の回動を面同士の接触により規制することができる。
【００３４】
したがって、点または線同士の接触により回動を規制する場合と異なり、上記アーム部の回動を確実に規制することができる。
【００３５】
請求項２の発明に係る遊技機用肘掛装置にあっては、上記アーム部を回動させた場合には、上記規制面に上記当接面のいずれか一方が当接することにより上記アーム部の回動を規制することから、上記アーム部を水平方向の左右いずれの方向に回動させた場合であっても、上記アーム部の回動を確実に規制することができる。
また、上記当接面部は、上記アーム部幅方向に沿って厚さ方向に形成され、相互に鈍角を成していることから、上記アーム部の回動の自由度が大きい。
【００３６】
請求項３の発明に係る遊技機用肘掛装置にあっては、上記係合部を上記肘掛取付部に対して下方から挿入して回動することにより取り付けることができることから、上記テーブル部に取り付ける場合には、螺子等の固定部材や工具を別個に準備する必要がなく、容易に取り付けることができる。
【００３７】
また、上記固定部を上方に向かって所定角度回動させることにより上記テーブル部から取り外すことができることから、上記テーブル部から取り外す場合であっても工具を必要とせず、容易に取り外すことができる。
【図面の簡単な説明】
【００３８】
【図１】本発明に係る遊技機用肘掛装置の一実施の形態における遊技機用肘掛装置を示す斜視図である。
【図２】本発明に係る遊技機用肘掛装置の一実施の形態における遊技機用肘掛装置の回動規制構造を示す斜視図である。
【図３】本発明に係る遊技機用肘掛装置の一実施の形態における遊技機用肘掛装置を示す長さ方向断面図である。
【図４】本発明に係る遊技機用肘掛装置の一実施の形態における遊技機用肘掛装置のアーム部を遊技機に対して左方向へ回動させた状態を示す平面図である。
【図５】本発明に係る遊技機用肘掛装置の一実施の形態における遊技機用肘掛装置のアーム部を遊技機に対して左方向へ回動させた状態を示す平面図である。
【図６】従来の遊技機用肘掛を示す長さ方向断面図である。
【図７】従来の手置き台を示し、（ａ）は使用位置における手置き台の正面図であり、（ｂ）は非使用位置における手置き台の正面図である。
【発明を実施するための最良の形態】
【００３９】
以下、添付図面に示す実施の形態に基づき、本発明を詳細に説明する。なお、図６に示す従来の肘掛取付部１０と同一の構造である部分には同一の符号を付し、説明を省略する。
【００４０】
図１および図３に示すように、本実施の形態に係る遊技機用肘掛装置４０は、パチンコ台である遊技機１１の前面に設けられたテーブル部１２に着脱可能に固定しうる固定部４１と、一端部４２が上記固定部４１に連設されたアーム部４４と、上記アーム部４４の他端部４５に配置され、遊技者が肘を置きうると共に上下方向および前後方向に位置を変更しうる肘置部２０を有する肘掛部１８とを備え、上記アーム部４４が水平方向に沿って所定角度回動しうるように上記固定部４１に対して接合される回動接合部４６を有する。
【００４１】
また、上記固定部４１は、固定部本体４７と、上記固定部本体４７の一端部４８に設けられ、上記テーブル部１２の前端縁１２ａに設けられた肘掛取付部１３に着脱可能に係合しうる係合部１５と、上記固定部本体４７の他端部４９に設けられ、上記アーム部４４の一端部４２が接合される回動接合部本体５０とを有する。
【００４２】
図１および図２に示すように、上記アーム部４４は、アーム部本体４３と、上記アーム部本体４３の端部５１に形成され、上記回動接合部本体５０に回動可能に回動軸部５２により軸支される回動被接合部５３とを有する。
【００４３】
また、上記回動接合部本体５０及び上記回動被接合部５３には、上記アーム部４４の回動角度を規制しうる回動角度規制構造５４が設けられており、上記回動角度規制構造５４は、上記回動接合部本体５０に設けられた規制面部５５と、上記回動被接合部５３に設けられ、上記規制面部５５に対して水平方向において回動して当接する、上記回動軸部５２の両側において所定角度に設けられた一対の当接面部５６とにより構成されている。
【００４４】
また、上記規制面部５５は、固定部本体４７の上記アーム部４４幅方向に沿って厚さ方向に形成された平面からなる略長方形の規制面５７を有すると共に、上記当接面部５６は、上記アーム部４４幅方向に沿って厚さ方向に形成され、相互に鈍角を成し、回動時にはいずれか一方が上記規制面５７に当接し略長方形に形成された当接面５８が形成されている。
【００４５】
図１および図２に示すように、上記係合部１５は上方へ湾曲する側面略J字状に形成されると共に肘掛取付部１３は下方へ湾曲する側面略Ｊ字状に形成され、上記肘掛取付部１３に対して下方から挿入して回動することにより取り付けると共に、上記固定部４１を上方に向かって所定角度回動させることにより上記テーブル部１２から取り外すことができるように構成されている。
【００４６】
また、遊技用肘掛装置４０は合成樹脂により形成されている
【００４７】
以下、本実施の形態に係る遊技用肘掛装置４０の作用について説明する。
【００４８】
本実施の形態に係る遊技用肘掛装置４０は、図１に示すように、上記アーム部４４の上記他端部４５には上下方向および前後方向に位置を変更しうる肘置部２０を有する肘掛部１８が配置され、上記アーム部４４は上記回動接合部４６において水平方向に沿って所定角度回動しうるように上記固定部４１に対して接合されていることから、上記肘掛部１８は上下方向および前後方向に位置を変更することができると共に、図４および図５に示すように、上記アーム部４４と共に水平方向に沿って所定角度回動することができる。
【００４９】
したがって、図３〜図５に示すように、上記テーブル部１２に上記固定部４１を固定した場合には、上記肘置部１８を水平方向に沿って回動させることにより、上記遊技機１１に対して、上下方向および前後方向の位置調節に加えて、左右方向の位置調節をすることができることから、遊技者は、上記肘置部２０の位置調節を行うことにより、上記肘置部１８を遊技者の体に近い位置に配置して肘を置き、脇を閉じた状態で遊技を行うことができる。
【００５０】
その結果、使用者の腕および肩に最も負担がかからない位置に調節して配置した上記肘置部１８に肘を置きながら遊技を行うことができることから、長時間遊技した場合であっても、遊技者の腕および肩の疲労をさらに軽減することができる。
【００５１】
また、図５に示すように、メンテナンス作業時に遊技機１１の扉５９を開放する場合には、上記アーム部４４を水平方向に移動させることのみにより、上記肘掛部１８への接触を回避して上記扉５９を開放させることができると共に、上記遊技機１１の前方においてメンテナンス作業を行う作業者から側方に所定間隔離間して配置させることができる。
【００５２】
したがって、メンテナンス作業時に扉５９に接触しない位置へ容易に移動させることができると共に、遊技用肘掛装置４０が遊技機１１に取り付けられた状態であっても作業の妨げになることがなく、メンテナンスの作業性を向上させることができる。
【００５３】
また、図１および図３に示すように、上記固定部４１は、上記テーブル１２の前端縁１２ａに設けられた肘掛取付部１３に着脱可能に係合しうる係合部１５を有していることから、上記固定部４１は、上記テーブル部１２に着脱可能に構成され、上記アーム部４４は上記回動軸部５２を中心として所定角度水平方向に回動することができる。
【００５４】
したがって、遊技機用肘掛装置４０は上記テーブル部１２に取り付け、取り外しが可能となることこら、遊技機１１の交換作業等を行う場合には、遊技機用肘掛装置４０を上記テーブル部１２から容易に取り外して作業を行うことができる。
【００５５】
また、図１および図２に示すように、上記回動接合部本体５０及び上記回動被接合部５３には、上記アーム部４４の回動角度を規制しうる回動角度規制構造５４が設けられていることから、図４および図５に示すように、上記アーム部４４の回動角度を規制することができ、その結果、上記アーム部４４が所定の角度以上に回動して、隣接する遊技機（図示せず）を使用する遊技者の遊技を妨害すること、および上記肘掛部１８が遊技機１１の扉５９に接触して上記扉１１の表面に傷を付けることがない。
【００５６】
また、図１および図２に示すように、上記規制面部５５と上記一対の当接面部５６とが当接することにより、上記アーム部４４の回動を規制することから、上記アーム部４４の回動を面同士の接触により規制することができ、その結果、点または線同士の接触により回動を規制する場合と異なり、上記アーム部４４の回動を確実に規制することができる。
【００５７】
また、上記当接面部５６は、上記アーム部４４幅方向に沿って厚さ方向に形成され、相互に鈍角を成し、回動時にはいずれか一方が上記規制面５７に当接する当接面５８が形成されていることから、上記アーム部４４を回動させた場合には、上記規制面５７に上記当接面５８のいずれか一方が当接することにより上記アーム部４４の回動を規制ことから、上記アーム部４４を水平方向の左右いずれの方向に回動させた場合であっても、上記アーム部４４の回動を確実に規制することができる。
【００５８】
また、上記当接面部５６は、上記アーム部４４幅方向に沿って厚さ方向に形成され、相互に鈍角を成していることから、上記アーム部４４の回動の自由度が大きい。
【００５９】
図３に示すように、遊技機用肘掛装置４０は、上記係合部１５を上記肘掛取付部１３に対して下方から挿入して回動することにより取り付けることができると共に、上記固定部４１を上方に向かって所定角度回動させることにより上記テーブル部１２から取り外すことができることから、上記テーブル部１２に取り付ける場合には、螺子等の固定部材や工具を別個に準備する必要がなく、容易に取り付けることができる。
【００６０】
また、上記固定部４１を上方に向かって所定角度回動させることにより上記テーブル部１２から取り外すことができることから、上記テーブル部１２から取り外す場合であっても工具を必要とせず、容易に取り外すことができる。
【産業上の利用可能性】
【００６１】
本発明は、パチンコ台等の遊技機に設置される遊技機用肘掛装置に適用可能である。
【符号の説明】
【００６２】
４０  遊技用肘掛装置
４１  固定部
４２  一端部（アーム部）
４３  アーム部本体
４４  アーム部
４５  他端部（アーム部）
４６  回動接合部
４７  固定部本体
４８  一端部（固定部本体）
４９  他端部（固定部本体）
５０  回動接合部本体
５１  端部
５２  回動軸部
５３  回動被接合部
５４  回動規制構造
５５  規制面部
５６  当接面部
５７  規制面
５８  当接面
５９  扉
１０  遊技機用肘掛
１１  遊技機
１２  テーブル部
１２ａ  前端縁
１３  肘掛取付部
１４  アーム部の反遊技者側端部
１５  係合部
１６  アーム部の反遊技機側端部
１７  アーム部
１８  肘掛部
１９  係合受け部
２０  肘置部
２１  支持部
２２  受け部
２３ａ  支持部下端部
２３ｂ  支持部上端部
２４  掛止片部
２５  段部
２６  台部
２７  螺子孔
２８  アーム部上板
２９  アーム部下部
３０  受け部内方の遊技機側に配置される内壁
３１  嵌合片部
３２  支持部の遊技者側側壁
３４  受け部内方の遊技者側側壁
３５  遊技機の前面ドア
７０  手置き台
７１  遊技機
７２  膳板
７３  載置部
７４  本体部
７５  支持部
７６  係合突部
７７  係合孔
７８  回転軸
【要約】
【課題】  遊技者の腕および肩の疲労をさらに軽減することができ、また、メンテナンス作業時に扉に接触しない位置へ容易に移動させることができると共に、遊技機に取り付けられた状態であっても作業の妨げになることがなく、メンテナンスの作業性を向上させる遊技機用肘掛装置を提供する。
【解決手段】  遊技機の前面に設けられたテーブル部に着脱可能に固定しうる固定部と、一端部が上記固定部に連設されたアーム部と、上記アーム部の他端部に配置され、遊技者が肘を置きうると共に上下方向および前後方向に位置を変更しうる肘置部を有する肘掛部とを備えた遊技機用肘掛装置であって、上記アーム部が水平方向に沿って所定角度回動しうるように上記固定部に対して接合される回動接合部を有する構成とする。
【選択図】  図１【図１】
0005277331.tif 000002
【図２】
0005277331.tif 000003
【図３】
0005277331.tif 000004
【図４】
0005277331.tif 000005
【図５】
0005277331.tif 000006
【図６】
0005277331.tif 000007
【図７】
0005277331.tif 000008